(57)【要約】【課題】過去の電力及び電力量の使用実績に基づいて電気料金の最適契約メニューを提案すること。【解決手段】使用電力最適化提案システム１であって、過去の一定期間における電力及び電力量の使用実績を測定して記録する電力測定記録装置１０と、電力測定記録装置１０が記録した過去の一定期間における電力及び電力量の使用実績と同一の使用条件下で、複数の電気料金契約メニューのそれぞれに基づく電気料金を演算し、電気料金が最低になる最適契約メニューを選定する使用電力分析装置２０とを有してなるもの。【選択図】  図１
2004164009.tif 000002
【特許請求の範囲】
【請求項１】
過去の一定期間の電力及び電力量の使用実績を測定して記録する電力測定記録装置と、
電力測定記録装置が記録した過去の一定期間における電力及び電力量の使用実績と同一の使用条件下で、複数の電気料金契約メニューのそれぞれに基づく電気料金を演算し、電気料金が最低になる最適契約メニューを選定する使用電力分析装置とを有してなる使用電力最適化提案システム。
【請求項２】
前記使用電力分析装置が、最適契約メニューに基づく電気料金と、従前の契約メニューに基づく電気料金の差額を算出する手段を備える請求項１に記載の使用電力最適化提案システム。
【請求項３】
過去の一定期間における電力及び電力量の使用実績を測定して記録する電力測定記録装置と、
電力測定記録装置が測定した過去の一定期間における電力及び電力量の使用実績を分析する使用電力分析装置とを有し、
使用電力分析装置は、
過去の一定期間の中で細分化した一定時限毎の平均使用電力及び積算電力量を演算し、この演算結果を将来における上記平均使用電力が高くなる時期の推定のために利用可能にするとともに、
過去の使用電力の当該時間帯における一定時限毎の平均使用電力及び積算電力量を同時刻で比較し、使用電力が突出する時期及び日時を演算し、この演算結果を将来における使用電力が高くなる時期及び日時の推定のために利用可能にする使用電力最適化提案システム。
【請求項４】
請求項１〜３のいずれかに記載の使用電力最適化提案システムに用いる電力測定記録装置。
【請求項５】
請求項１〜３のいずれかに記載の使用電力最適化提案システムに用いる使用電力分析装置。
【発明の詳細な説明】
【０００１】
【発明の属する技術分野】
本発明は、使用電力最適化提案システムに関する。
【０００２】
【従来の技術】
特許文献１に記載の如く、電力需要家において、電力供給会社により設備された３０分最大需要電力計などにより、一定時限（一般的には３０分）における平均使用電力を監視し、この平均使用電力が契約電力又は管理目標電力を越えるおそれが生じたときに警報を発し、予め設定されている制御方式に従って自動的に負荷の遮断を行ない、最大電力に余裕ができたときに自動復帰させるものがある。
【０００３】
【特許文献１】
特開平６−１９７４５０（２頁）
【０００４】
【発明が解決しようとする課題】
電力需要家が電力供給会社に支払う電気料金の契約メニューは複数あり、しかも各契約メニュー毎に基本料金（例えばＡ００）と２以上の季節別、昼夜別等の時間帯別単価（例えばＡ０００とＡ００１）を定めていて極めて複雑である。このため、電力需要家は、契約メニューの最適化によれば年間の支払い電気料金を例えば４〜５％削減できる可能性を持ちながら、契約メニューの複雑な体系が隘路になって、その最適メニューの明確な選定は困難で検討も主張もされていない。
【０００５】
また、電力需要家は、過去の電力及び電力量の使用実績を分析し、将来における無駄な電力の使用を節減する明確な手段を有していない。
【０００６】
本発明の課題は、過去の電力及び電力量の使用実績に基づいて電気料金の最適契約メニューを提案することにある。
【０００７】
本発明の他の課題は、過去の電力及び電力量の使用実績に基づいて将来における無駄な電力の使用を明確にすることにある。
【０００８】
【課題を解決するための手段】
請求項１の発明は、過去の一定期間における電力及び電力量の使用実績を測定して記録する電力測定記録装置と、電力測定記録装置が記録した過去の一定期間における電力及び電力量の使用実績と同一の使用条件下で、複数の電気料金契約メニューのそれぞれに基づく電気料金を演算し、電気料金が最低になる最適契約メニューを選定する使用電力分析装置とを有してなる使用電力最適化提案システムである。
【０００９】
請求項２の発明は、請求項１の発明において更に、前記使用電力分析装置が、最適契約メニューに基づく電気料金と、従前の契約メニューに基づく電気料金の差額を算出する手段を備えるようにしたものである。
【００１０】
請求項３の発明は、過去の一定期間における電力及び電力量の使用実績を測定して記録する電力測定記録装置と、電力測定記録装置が測定した過去の一定期間における電力及び電力量の使用実績を分析する使用電力分析装置とを有し、使用電力分析装置は、過去の一定期間の中で細分化した一定時限毎の平均使用電力及び積算電力量を演算し、この演算結果を将来における上記平均使用電力が高くなる時期及び日時の推定のために利用可能にするとともに、過去の使用電力の当該時間帯における一定時限毎の平均使用電力及び積算電力量を同時刻で比較し、使用電力が突出する時期及び日時を演算し、この演算結果を将来における使用電力が高くなる時期及び日時の推定のために利用可能にする使用電力最適化提案システムである。
【００１１】
請求項４の発明は、請求項１〜３のいずれかに記載の使用電力最適化提案システムに用いる電力測定記録装置である。
【００１２】
請求項５の発明は、請求項１〜３のいずれかに記載の使用電力最適化提案システムに用いる使用電力分析装置である。
【００１３】
【作用】
請求項１の発明によれば下記▲１▼の作用がある。
▲１▼電力測定記録装置と使用電力分析装置を用いることにより、過去の一定期間における電力及び電力量の使用実績と同一の使用条件下で、複数の電気料金契約メニューのそれぞれに基づく電気料金を演算し、電気料金が最低になる最適契約メニューを選定する。従って、契約メニューの体系がいかに複雑であったり、また体系の更新がされても、過去の電力及び電力量の使用実績と同等の使用状況が将来も見込まれることを前提とする限り、電気料金の最適契約メニューを簡易かつ高精度に選定できる。
【００１４】
請求項２の発明によれば下記▲２▼の作用がある。
▲２▼使用電力分析装置により、最適契約メニューの適用に基づく電気料金の節減効果（差額）を確認できる。
【００１５】
請求項３の発明によれば下記▲３▼、▲４▼の作用がある。
▲３▼過去の電力及び電力量の使用実績に基づいて、将来において一定時限毎の平均使用電力及び積算電力量が高くなる時期及び日時を推定し、推定したその時期及び日時における電力の使用計画を事前に見直し、無駄な電力の使用を未然に回避する。
【００１６】
▲４▼過去の電力及び電力量の使用実績に基づいて、将来において使用電力が突出する時期及び日時を推定し、推定したその時期及び日時における電力の使用計画を事前に見直し、無駄な電力の使用を未然に回避する。
【００１７】
請求項４の発明によれば下記▲５▼の作用がある。
▲５▼電力測定記録装置を独立して用いることにより、電力需要家の受配電設備に設置する電力測定記録装置の小型化を図ることができる。
【００１８】
請求項５の発明によれば下記▲６▼の作用がある。
▲６▼使用電力分析装置を独立して用いることにより、電力需要家毎に設置した電力測定記録装置の記録データを分析するために単一の使用電力分析装置を共用し、電力需要家の経済的負担を軽減できる。
【００１９】
【発明の実施の形態】
図１は本発明の使用電力最適化提案システムを示す模式図である。
【００２０】
使用電力最適化提案システム１は、図１に示す如く、電力測定記録装置１０と使用電力分析装置２０とを有して構成される。
【００２１】
電力測定記録装置１０は、入出力回路、演算部、記録部、表示部を有して構成され、記録部に記録したデータを取り出し可能とする記録メディア１１（不図示）を着脱自在に備える。
【００２２】
使用電力分析装置２０は、入出力回路、演算部、記録部、表示部を有して構成される。
【００２３】
電力測定記録装置１０は、一般の電力需要家の負荷につながる電線路に設けた受配電設備に設置されている取引用電力計２に接続され、その電力計２からの出力信号を受けて、過去の一定期間（本実施形態では１２ヶ月）における電力及び電力量の使用実績を入出力回路から演算部に入力し、これを演算部の介在下で時系列的電力値（出力パルス値）の形態にて記録部に記録する。
【００２４】
使用電力分析装置２０は、電力測定記録装置１０の記録データ（過去の一定期間における電力及び電力量の使用実績）を、記録メディア１１の介在等により読み込み、（Ａ）最適契約メニュー選定作業、（Ｂ）使用実績分析表示作業を以下の如くに行なう。
【００２５】
（Ａ）最適契約メニュー選定作業
（１）使用電力分析装置２０は、複数の電気料金契約メニューの契約内容を入出力回路から演算データとして入力する。尚、使用電力分析装置２０は、電力会社の契約メニュー体系に変更／追加があっても、ソフトウエアー手段で分析機能を変更／追加できる機能を備えている。
【００２６】
契約メニューとしては、例えば６種類の契約１〜６（表１〜表３）がある。
契約１は、例えば「業務用電力」であり、１ｋＷ当たりの基本料金をＡ００、夏季の１ｋＷｈ当たりの電力量単価をＡ０００、その他季の１ｋＷｈ当たりの電力量単価をＡ００１とする。
【００２７】
契約２は、例えば「第２業務用電力」（ハイプラン）であり、１ｋＷ当たりの基本料金をＡ０１、夏季の１ｋＷｈ当たりの電力量単価をＡ０１０、その他季の１ｋＷｈ当たりの電力量単価をＡ０１１とする。
【００２８】
【表１】
2004164009.tif 000003
【００２９】
契約３は、例えば、「業務用季節別時間帯別電力」（タイムプラン）であり、１ｋＷ当たりの基本料金をＡ１０、重負荷時間の１ｋＷｈ当たりの電力量単価をＡ１００、昼間時間の１ｋＷｈ当たりの電力量単価をＡ１０１、夜間時間の１ｋＷｈ当たりの電力量単価をＡ１０２とする。
【００３０】
契約４は、例えば、「第２業務用季節別時間帯別電力」（タイムハイプラン）であり、１ｋＷ当たりの基本料金をＡ１１、重負荷時間の１ｋＷｈ当たりの電力量単価をＡ１１０、昼間時間の１ｋＷｈ当たりの電力量単価をＡ１１１、夜間時間の１ｋＷｈ当たりの電力量単価をＡ１１２とする。
【００３１】
【表２】
2004164009.tif 000004
【００３２】
契約５は、例えば、「業務用休日平日別電力」（ウイークエンドプラン）であり、１ｋＷ当たりの基本料金をＡ２０、夏季平日の１ｋＷｈ当たりの電力量単価をＡ２００、夏季休日の１ｋＷｈ当たりの電力量単価をＡ２０１、その他季平日の１ｋＷｈ当たりの電力量単価をＡ２０２、その他季休日の１ｋＷｈ当たりの電力量単価をＡ２０３とする。
【００３３】
契約６は、例えば、「第２業務用休日平日別電力」（ウイークエンドハイプラン）であり、１ｋＷ当たりの基本料金をＡ２１、夏季平日の１ｋＷｈ当たりの電力量単価をＡ２１０、夏季休日の１ｋＷｈ当たりの電力量単価をＡ２１１、その他季平日の１ｋＷｈ当たりの電力量単価をＡ２１２、その他季休日の１ｋＷｈ当たりの電力量単価をＡ２１３とする。
【００３４】
【表３】
2004164009.tif 000005
【００３５】
そして、使用実績（契約電力Ｇ、電力力率Ｆ、各契約メニューにおける各時間帯（季節、昼夜、平日、休日）毎の電力使用量ａ０００〜ａ２１３、蓄熱電力量割引等の差額料金Ｃ）と一定期間（Ｄ）を変数とする、契約１〜６の各契約メニュー毎の電気料金Ｙは、下記（１）式〜（６）式により演算される。
【００３６】
【数１】
2004164009.tif 000006
【００３７】
【数２】
2004164009.tif 000007
【００３８】
【数３】
2004164009.tif 000008
【００３９】
【数４】
2004164009.tif 000009
【００４０】
【数５】
2004164009.tif 000010
【００４１】
【数６】
2004164009.tif 000011
【００４２】
（２）使用電力分析装置２０は、電力測定記録装置１０の記録データに基づき、この電力需要家における過去の一定期間（Ｄ）で細分化した一定時限（本実施形態では３０分）毎の平均使用電力を演算部で演算し、この平均使用電力の当該一定期間における最大値又は現在の契約条件を前述の契約電力Ｇとし、これを記録部に記録する。尚、使用電力分析装置２０が演算した上述の最大値に基づき、電力供給会社と協議して契約電力を定めるものとしているときには、需要家は使用電力分析装置２０の上記演算結果（平均使用電力の最大値）に基づいて電力供給会社と協議して定めた契約電力Ｇを入出力回路から記録部に記録する。
【００４３】
電力需要家は、電力供給会社から提供された当該需要家における過去の一定期間（Ｄ）に渡る電力力率データを使用電力分析装置２０の入出力回路から演算部に入力し、その平均値を演算して電力力率Ｆとし、これを記録部に記録する。
【００４４】
電力需要家は、電力供給会社との協議により定めた蓄熱電力量割引等の電力量を使用電力分析装置２０の入出力回路から演算データとして入力する。
【００４５】
（３）使用電力分析装置２０の演算部は、電力測定記録装置１０の記録データに基づき、前述（１）の各契約メニュー（契約１〜６）毎に、この電力需要家における過去の一定期間（Ｄ）で、当該契約メニューにおける各時間帯毎の当該期間の電力使用量ａ０００〜ａ２１３を演算し、これを記録部に記録する。
【００４６】
（４）使用電力分析装置２０の演算部は、過去の一定期間の使用実績と同等の使用状況が将来の一定期間（例えば本実施形態では１２ヶ月）も見込まれるとしたとき、契約１〜６の各契約メニュー毎の電気料金Ｙを、前述（１）の（１）式〜（６）式に、上述（１）及び（２）のＧ、Ｆ、Ｃ、Ｄ上述（３）のａ０００〜ａ２１３を代入することにより演算し、この演算結果を記録部に記録する。
【００４７】
（５）使用電力分析装置２０の演算部を、上述（４）の演算結果により、各契約メニュー毎の電気料金を比較し、電気料金が最低になる最適契約メニュー、例えば契約６を選定する。
【００４８】
使用電力分析装置２０の演算部は、最適契約メニューが例えば契約６、従前の契約メニューが例えば契約１であったとき、それらの電気料金の差額（ＹＡ２１−ＹＡ００）を算出し、これを節減効果（差額）として出力する。
【００４９】
（Ｂ）使用実績分析表示作業
（１）使用電力分析装置２０は、電力測定記録装置１０の記録データに基づき、この電力需要家における過去の一定期間（例えば１２ヶ月又は１ヶ月）の中で、各１日の使用電力量を演算部で演算し、この演算結果を記録部で記録するとともに、表示部に表示する。
【００５０】
電力需要家は、過去の一定期間の使用実績と同等の使用状況が将来の一定期間も見込まれることを前提とすることを条件に、電力測定記録装置２０が演算した一定期間（例えば１２ヶ月又は１ヶ月）における使用電力量の一定期間（例えば１２ヶ月又は１ヶ月）に渡る推移を示す時系列的データを検討することにより、将来における上記使用電力量が高くなる時期を推定し、電力使用計画の立案又は修正等を試みる。
【００５１】
（２）使用電力分析装置２０は、電力測定記録装置１０の記録データに基づき、この電力需要家における過去の一定期間（例えば１２ヶ月又は１ヶ月）の中で細分化した一定時限（本実施形態では３０分）毎の平均使用電力を演算部で演算し、この演算結果を記録部に記録するとともに、表示部に表示する。
【００５２】
電力需要家は、過去の一定期間の使用実績と同等の使用状況が将来の一定期間も見込まれることを前提とすることを条件に、使用電力分析装置２０が演算した一定期間（例えば１２ヶ月又は１ヶ月）における平均使用電力の一定期間（例えば１２ヶ月又は１ヶ月）に渡る推移を示す時系列的データを検討することにより、将来における上記平均使用電力が高くなる日時を推定し、電力使用計画の立案又は修正等を試みる。
【００５３】
（３）使用電力分析装置２０は、上述（２）で演算した一定時限（本実施形態では３０分）毎の平均使用電力の当該１日における最大値を最大使用電力（デマンド値）として演算し、この演算結果を記録部に記録するとともに、表示部に表示する。
【００５４】
電力需要家は、過去の一定期間の使用実績と同等の使用状況が将来の一定期間も見込まれることを前提とすることを条件に、使用電力分析装置２０が演算した一定期間（例えば１２ヶ月又は１ヶ月）における最大使用電力の一定期間（例えば１２ヶ月又は１ヶ月）に渡る推移を示す時系列的データを検討することにより、将来における上記最大使用電力が高くなる時期を推定し、電力使用計画の立案又は修正等を試みる。
【００５５】
（４）使用電力分析装置２０は、電力測定記録装置１０の記録データに基づき、この電力需要家における過去の一定期間（例えば１２ヶ月又は１ヶ月）の中で、使用電力量の当該時間帯における一定時限毎の平均使用電力及び積算電力量（各１日の負荷の経時的データ）を同時刻で比較する。そして、使用電力量が他の日時に比して突出する如くに高い日時を演算部で演算し、この演算結果を記録部に記録するとともに、表示部に表示する。
【００５６】
電力需要家は、過去の一定期間の使用実績と同等の使用状況が将来の一定期間も見込まれることを前提とすることを条件に、使用電力分析装置２０が演算した一定期間（例えば１２ヶ月又は１ヶ月）における使用電力量の当該時間帯における一定時限毎の平均使用電力及び積算電力量の比較データを検討することにより、将来において使用電力量が高くなる日時を推定し、電力使用計画の立案、修正等を試みる。
【００５７】
本実施形態によれば以下の作用がある。
▲１▼電力測定記録装置１０と使用電力分析装置２０を用いることにより、過去の一定期間における電力及び電力量の使用実績と同一の使用条件下で、複数の電気料金契約メニューのそれぞれに基づく電気料金を演算し、電気料金が最低になる最適契約メニューを選定する。従って、契約メニューの体系がいかに複雑であったり、また体系の過去の更新がされても、過去の電力及び電力量の使用実績と同等の使用状況が将来も見込まれることを前提とする限り、電気料金の最適契約メニューを簡易かつ高精度に選定できる。
【００５８】
▲２▼使用電力分析装置２０により、最適契約メニューの適用に基づく電気料金の節減効果（差額）を確認できる。
【００５９】
▲３▼過去の電力及び電力量の使用実績に基づいて、将来において一定時限毎の平均使用電力及び積算電力量が高くなる時期及び日時を推定し、推定したその時期及び日時における電力の使用計画を事前に見直し、無駄な電力の使用を未然に回避する。
【００６０】
▲４▼過去の電力及び電力量の使用実績に基づいて、将来において使用電力が突出する時期及び日時を推定し、推定したその時期及び日時における電力の使用計画を事前に見直し、無駄な電力の使用を未然に回避する。
【００６１】
▲５▼電力測定記録装置１０を独立して用いることにより、電力需要家の受配電設備に設置する電力測定記録装置１０の小型化を図ることができる。
【００６２】
▲６▼使用電力分析装置２０を独立して用いることにより、電力需要家毎に設置した電力測定記録装置１０の記録データを分析するために単一の使用電力分析装置２０を共用し、電力需要家の経済的負担を軽減できる。
【００６３】
以上、本発明の実施の形態を図面により記述したが、本発明の具体的な構成はこの実施の形態に限られるものではなく、本発明の要旨を逸脱しない範囲の設計の変更等があっても本発明に含まれる。
【００６４】
【発明の効果】
本発明によれば、過去の電力及び電力量の使用実績に基づいて電気料金の最適契約メニューを提案することができる。
【００６５】
また、本発明によれば、過去の電力及び電力量の使用実績に基づいて将来における無駄な電力の使用を明確化することができる。
【図面の簡単な説明】
【図１】図１は本発明の使用電力最適化提案システムを示す模式図である。
【符号の説明】
１  使用電力最適化提案システム
１０  電力測定記録装置
２０  使用電力分析装置
【図１】
2004164009.tif 000012